(57)【要約】【課題】羽板の回動スペースがダンパ装置の開口面積に左右されにくく、狭小なスペースでも動作可能であり、かつギヤボックスの平面方向における製品寸法を小さくできるダンパ装置を提供する。【解決手段】駆動源（４０）と複数の羽板（２０）と枠体（１０）と動力伝達機構（５０）とを備え、前記枠体は、一対の開口部（１１、１２）を有しており、前記複数の羽板は該流路部内に平行に並べて配置されており、前記動力伝達機構は複数の歯車部材を含み、前記枠体は前記複数の歯車部材が収容されるケース体であるギヤボックス（１０ｎ）を有し、前記ギヤボックスの内部空間は、前記複数の歯車部材の軸線方向に複数の層に分割されており、前記各層に収容された前記複数の歯車部材は、一部の前記歯車部材がその収容された層を貫通して他の層に収容された前記歯車部材と噛合することにより、一連の減速歯車列を構成していることを特徴とするダンパ装置により解決する。【選択図】図４
2018194221.tif 000002
【特許請求の範囲】
【請求項１】
駆動源と、
複数の羽板と、
前記各羽板を回動可能に支持する枠体と、
前記駆動源の駆動力を前記各羽板に伝達しこれら各羽板を回動させる動力伝達機構と、
を備えるダンパ装置であって、
前記枠体は、流体の流入口および流出口である一対の開口部を有しており、
前記枠体における前記一対の開口部を連通している中空部を該枠体の流路部としたときに、前記複数の羽板は該流路部内に平行に並べて配置されており、
前記動力伝達機構は複数の歯車部材を含み、
前記枠体は前記複数の歯車部材が収容されるケース体であるギヤボックスを有し、
前記ギヤボックスの内部空間は、前記複数の歯車部材の軸線方向に複数の層に分割されており、
前記各層に収容された前記複数の歯車部材は、一部の前記歯車部材がその収容された層を貫通して他の層に収容された前記歯車部材と噛合することにより、一連の減速歯車列を構成していることを特徴とするダンパ装置。
【請求項２】
前記ギヤボックスは複数のケース部材が嵌合されてなり、
前記複数のケース部材の嵌合部は、一方のケース部材の内周面と他方のケース部材の外周面とがこれらケース部材の厚み方向に対向するように嵌合されていることを特徴とする請求項１に記載のダンパ装置。
【請求項３】
前記ギヤボックスは３つの前記ケース部材により構成されていることを特徴とする請求項２に記載のダンパ装置。
【請求項４】
前記複数の歯車部材には前記駆動源のピニオンギヤが含まれ、
前記ピニオンギヤと直接噛合する前記歯車部材である第１歯車は、その収容された層を貫通して他の層に収容された前記歯車部材と噛合していることを特徴とする請求項１から請求項３のいずれか一項に記載のダンパ装置。
【請求項５】
前記ピニオンギヤが収容された層と前記他の層とを隔てる隔壁には、該他の層側に突き出した有蓋筒状の突起部が設けられており、
前記第１歯車はその一部が前記突起部の筒内に収容され、
前記突起部はその周方向の一部が切り欠かれ、そこから前記第１歯車が前記他の層内に露出しており、
前記第１歯車の支軸は、一方の端部が前記突起部の蓋部に固定されていることを特徴とする特徴とする請求項４に記載のダンパ装置。
【請求項６】
前記動力伝達機構は前記流路部内に配置されたリンク機構を有しており、
前記リンク機構の揺動範囲は、前記流路部内に収まることを特徴とする請求項１から請求項５のいずれか一項に記載のダンパ装置。
【請求項７】
前記動力伝達機構は前記複数の羽板に連結されたリンク機構を有しており、
前記動力伝達機構はさらに、前記リンク機構に連結されて、前記駆動源の駆動力を前記リンク機構に伝達する部材であるリンク駆動部材を有しており、
前記枠体は、前記各羽板の支持部である複数の羽板支持部と、前記リンク駆動部材の支持部であるリンク駆動部材支持部とを有しており、
前記複数の羽板支持部および前記リンク駆動部材支持部は、前記枠体と一体成形されていることを特徴とする請求項１から請求項６のいずれか一項に記載のダンパ装置。
【請求項８】
前記動力伝達機構は前記複数の羽板に連結されたリンク機構を有しており、
前記動力伝達機構はさらに、前記リンク機構に連結されて、前記駆動源の駆動力を前記リンク機構に伝達する部材であるリンク駆動部材を有しており、
前記各羽板のその回動中心線に平行な方向の寸法を該羽板の長さとしたときに、
前記リンク機構は、前記リンク駆動部材に連結される第１リンク部材と、該第１リンク部材と前記各羽板の長さ方向の一端とを連結する第２リンク部材と、を有することを特徴とする請求項１から請求項７のいずれか一項に記載のダンパ装置。
【請求項９】
前記動力伝達機構は前記複数の羽板に連結されたリンク機構を有しており、
前記動力伝達機構はさらに、前記リンク機構に連結されて、前記駆動源の駆動力を前記リンク機構に伝達する部材であるリンク駆動部材を有しており、
前記リンク駆動部材は、歯車部、および出力軸部を有しており、
前記駆動源の駆動力は、前記複数の歯車部材により前記リンク駆動部材に伝達され、
前記リンク駆動部材の歯車部および前記歯車部材は前記ギヤボックスに収容されており、
前記リンク駆動部材の歯車部または前記歯車部材、および前記ギヤボックスは、前記リンク駆動部材が所定の角度位置になったときに、互いに当接して前記駆動力の伝達を遮断するストッパ部を有することを特徴とする請求項１から請求項８のいずれか一項に記載のダンパ装置。
【請求項１０】
前記動力伝達機構は前記複数の羽板に連結されたリンク機構を有しており、
前記動力伝達機構はさらに、前記リンク機構に連結されて、前記駆動源の駆動力を前記リンク機構に伝達する部材であるリンク駆動部材を有しており、
前記各羽板のその回動中心線に平行な方向の寸法を該羽板の長さとしたときに、
前記各羽板の長さ方向の両端には、該長さ方向に突出した軸部である第１軸部が形成されており、
前記枠体は、前記各羽板の支持部である複数の羽板支持部と、前記リンク駆動部材の支持部であるリンク駆動部材支持部とを有しており、
前記リンク駆動部材支持部は、前記リンク駆動部材を回動可能に支持する軸受であり、
前記複数の羽板支持部は、それぞれが前記第１軸部を回動可能に支持する軸受であり、
前記リンク駆動部材支持部の軸穴方向、および前記各羽板支持部の軸穴方向は、一直線上または平行となる向きに延びていることを特徴とする請求項１から請求項９のいずれか一項に記載のダンパ装置。
【請求項１１】
前記枠体は、前記各羽板の支持部である複数の羽板支持部を有しており、
前記各羽板の長さ方向の両端には、該長さ方向に突出し、前記羽板支持部に支持される軸部である第１軸部が形成されており、
前記各羽板の長さ方向の一端には、該長さ方向に突出し、前記第２リンク部材に連結される軸部である第２軸部が形成されており、
前記各羽板の表面または裏面における長さ方向に直交する方向の寸法を該羽板の幅としたときに、
前記第１軸部および前記第２軸部は、前記各羽板の幅方向における両端に配置されていることを特徴とする請求項８に記載のダンパ装置。
【発明の詳細な説明】
【技術分野】
【０００１】
本発明はダンパ装置に関する。
【背景技術】
【０００２】
下記特許文献１には、庫内を循環する冷気の流路を制御するダンパ装置を備えた冷蔵庫が開示されている。
【先行技術文献】
【特許文献】
【０００３】
【特許文献１】特開２００９−００２５４５号公報
【発明の概要】
【発明が解決しようとする課題】
【０００４】
上記特許文献１のダンパ装置は、一枚のバッフルを備え、これを回動させることで冷気の流路を連通させたり遮断したりする。そのため、特許文献１のダンパ装置は、その開口面積に比例してバッフルの回動スペースが大きくなり、開口面積を大きく設けるときにはバッフルの回動スペースの確保が問題となる。例えば、底部に滞留した結露水が凍結した場合には、これが堆積することで、羽板の開閉動作が妨げられるおそれがある。また、バッフルを回動させる駆動部は、ケースにモータおよびギヤを平面方向に配置した構造である。そのため、特許文献１のダンパ装置は、駆動部を、駆動機構も含めて設計により小型化することが必要となる場合がある。
【０００５】
上記問題に鑑み、本発明が解決しようとする課題は、羽板の回動スペースがダンパ装置の開口面積に左右されにくく、狭小なスペースでも動作可能であり、かつギヤボックスの平面方向における製品寸法を小さくすることができるダンパ装置を提供することにある。
【課題を解決するための手段】
【０００６】
上記課題を解決するため、本発明のダンパ装置は、駆動源と、複数の羽板と、前記各羽板を回動可能に支持する枠体と、前記駆動源の駆動力を前記各羽板に伝達しこれら各羽板を回動させる動力伝達機構と、を備えるダンパ装置であって、前記枠体は、流体の流入口および流出口である一対の開口部を有しており、前記枠体における前記一対の開口部を連通している中空部を該枠体の流路部としたときに、前記複数の羽板は該流路部内に平行に並べて配置されており、前記動力伝達機構は複数の歯車部材を含み、前記枠体は前記複数の歯車部材が収容されるケース体であるギヤボックスを有し、前記ギヤボックスの内部空間は、前記複数の歯車部材の軸線方向に複数の層に分割されており、前記各層に収容された前記複数の歯車部材は、一部の前記歯車部材がその収容された層を貫通して他の層に収容された前記歯車部材と噛合することにより、一連の減速歯車列を構成していることを特徴とする。
【０００７】
流体の流路を開閉する羽板を複数枚に分割することにより、ダンパ装置の開口面積が大きくなった場合でも、羽板の回動スペースの拡大を抑えることができる。これにより、本発明のダンパ装置は、羽板の回動スペースの確保が容易となり、より狭小なスペースに設置することが可能とされている。
【０００８】
また、ギヤボックスの内部空間を、複数の歯車部材の軸線方向に複数の層に分割することにより、減速歯車列の平面方向への広がりを高さ方向に転換し、同平面方向におけるギヤボックスの寸法を小さくすることができる。これにより、本発明のダンパ装置は、製品を小型化することができる。
【０００９】
また、前記ギヤボックスは複数のケース部材が嵌合されてなり、前記複数のケース部材の嵌合部は、一方のケース部材の内周面と他方のケース部材の外周面とがこれらケース部材の厚み方向に対向するように嵌合されていることが好ましい。
【００１０】
複数のケース部材が互いに厚み方向に対向するように嵌合されていることにより、ギヤボックスの内部へ水が浸入することを抑制できる。
【００１１】
また、前記ギヤボックスは３つの前記ケース部材により構成されていることが好ましい。
【００１２】
また、前記複数の歯車部材には前記駆動源のピニオンギヤが含まれ、前記ピニオンギヤと直接噛合する前記歯車部材である第１歯車は、その収容された層を貫通して他の層に収容された前記歯車部材と噛合していることが好ましい。
【００１３】
ピニオンギヤと直接噛合する第１歯車が、その収容された層を構成するケース部材を貫通して他の層に収容された歯車部材と噛合していることにより、ピニオンギヤと直接噛合する第１歯車の貫通部分をずらすことができる。そのため、次の層のギヤ配置の自由度が高められる。
【００１４】
また、前記ピニオンギヤが収容された層と前記他の層とを隔てる隔壁には、該他の層側に突き出した有蓋筒状の突起部が設けられており、前記第１歯車はその一部が前記突起部の筒内に収容され、前記突起部はその周方向の一部が切り欠かれ、そこから前記第１歯車が前記他の層内に露出しており、前記第１歯車の支軸は、一方の端部が前記突起部の蓋部に固定されていることが好ましい。
【００１５】
第１歯車は、支軸の一方の端部が突起部の蓋部に固定されていることにより、ピニオンギヤが収容された層と同じ層に収容され、その一部が突起部の切り欠かれた部分から他の層内に露出している。これにより、ピニオンギヤの配置された位置に制約を受けない位置に第１歯車を配置することができる。そのため、次の層のギヤ配置の自由度が高められる。
【００１６】
また、前記動力伝達機構は前記流路部内に配置されたリンク機構を有しており、前記リンク機構の揺動範囲は、前記流路部内に収まることが好ましい。
【００１７】
複数の羽板の駆動部材であるリンク機構が、その揺動動作を枠体の流路部内で行い、枠体の外にはその機構を突き出さない構成であることにより、ダンパ装置の設置場所の自由度が高められる。
【００１８】
また、前記動力伝達機構は前記複数の羽板に連結されたリンク機構を有しており、前記動力伝達機構はさらに、前記リンク機構に連結されて、前記駆動源の駆動力を前記リンク機構に伝達する部材であるリンク駆動部材を有しており、前記枠体は、前記各羽板の支持部である複数の羽板支持部と、前記リンク駆動部材の支持部であるリンク駆動部材支持部とを有しており、前記複数の羽板支持部および前記リンク駆動部材支持部は、前記枠体と一体成形されていることが好ましい。
【００１９】
羽板支持部とリンク駆動部材支持部とが枠体と一体成形されていることにより、羽板とリンク機構との相対的な位置関係を一定に保つことができる。これにより、寸法誤差や組立誤差によるこれら部材の位置精度への影響を抑え、羽板のスムーズな動作を担保することができる。
【００２０】
また、前記動力伝達機構は前記複数の羽板に連結されたリンク機構を有しており、前記動力伝達機構はさらに、前記リンク機構に連結されて、前記駆動源の駆動力を前記リンク機構に伝達する部材であるリンク駆動部材を有しており、前記各羽板のその回動中心線に平行な方向の寸法を該羽板の長さとしたときに、前記リンク機構は、前記リンク駆動部材に連結される第１リンク部材と、該第１リンク部材と前記各羽板の長さ方向の一端とを連結する第２リンク部材と、を有することが好ましい。
【００２１】
リンク機構が上記第１リンク部材および第２リンク部材を有することにより、第１リンク部材を駆動リンクとし、第２リンク部材を中間リンク、枠体を固定リンク、各羽板を従動リンクとする４節リンク機構を構成することができる。これにより、簡易な構造で各羽板の回動動作を同期させることが可能となる。
【００２２】
また、前記動力伝達機構は前記複数の羽板に連結されたリンク機構を有しており、前記動力伝達機構はさらに、前記リンク機構に連結されて、前記駆動源の駆動力を前記リンク機構に伝達する部材であるリンク駆動部材を有しており、前記リンク駆動部材は、歯車部、および出力軸部を有しており、前記駆動源の駆動力は、前記複数の歯車部材により前記リンク駆動部材に伝達され、前記リンク駆動部材の歯車部および前記歯車部材は前記ギヤボックスに収容されており、前記リンク駆動部材の歯車部または前記歯車部材、および前記ギヤボックスは、前記リンク駆動部材が所定の角度位置になったときに、互いに当接して前記駆動力の伝達を遮断するストッパ部を有することが好ましい。
【００２３】
羽板がその回動限界角度に至った時に、リンク機構よりも前の動力伝達部材で駆動力の伝達を遮断することにより、羽板やリンク機構に過剰な応力が加えられることが防止され、羽板およびリンク機構の部品寿命の低下を抑えることができる。
【００２４】
また、前記動力伝達機構は前記複数の羽板に連結されたリンク機構を有しており、前記動力伝達機構はさらに、前記リンク機構に連結されて、前記駆動源の駆動力を前記リンク機構に伝達する部材であるリンク駆動部材を有しており、前記各羽板のその回動中心線に平行な方向の寸法を該羽板の長さとしたときに、前記各羽板の長さ方向の両端には、該長さ方向に突出した軸部である第１軸部が形成されており、前記枠体は、前記各羽板の支持部である複数の羽板支持部と、前記リンク駆動部材の支持部であるリンク駆動部材支持部とを有しており、前記リンク駆動部材支持部は、前記リンク駆動部材を回動可能に支持する軸受であり、前記複数の羽板支持部は、それぞれが前記第１軸部を回動可能に支持する軸受であり、前記リンク駆動部材支持部の軸穴方向、および前記各羽板支持部の軸穴方向は、一直線上または平行となる向きに延びていることが好ましい。
【００２５】
これらリンク駆動部材支持部と各羽板支持部の軸穴方向が同一方向であることにより、駆動力を効率的に伝達することができ、また、羽板のねじれなど、各部材に加わる負荷を抑えることができる。
【００２６】
また、前記枠体は、前記各羽板の支持部である複数の羽板支持部を有しており、前記各羽板の長さ方向の両端には、該長さ方向に突出し、前記羽板支持部に支持される軸部である第１軸部が形成されており、前記各羽板の長さ方向の一端には、該長さ方向に突出し、前記第２リンク部材に連結される軸部である第２軸部が形成されており、前記各羽板の表面または裏面における長さ方向に直交する方向の寸法を該羽板の幅としたときに、前記第１軸部および前記第２軸部は、前記各羽板の幅方向における両端に配置されていることが好ましい。
【００２７】
各羽板の幅方向における両端にこれら軸部が設けられていることにより、最小限の駆動力で羽板を回動させることができるとともに、羽板の動作精度を高めることができる。
【発明の効果】
【００２８】
本発明のダンパ装置は、羽板の回動スペースがダンパ装置の開口面積に左右されにくく、狭小なスペースでも動作可能であり、かつギヤボックスの平面方向における製品寸法を小さくすることができる。
【図面の簡単な説明】
【００２９】
【図１】実施形態にかかるダンパ装置の概略構成およびその動作を示す平面図である。
【図２】羽板の形状を示す外観斜視図および第２軸部を説明する側面視断面図である。
【図３】フレームの形状を示す平面図、側面視断面図および底面図である。
【図４】実施形態にかかるダンパ装置の分解斜視図である。
【図５】歯車部材の減速構造を示す透過平面図である。
【図６】ストッパ部の構造を示す側面図である。
【図７】リンク機構の揺動動作を示す側面図である。
【図８】羽板支持部の差込口の開口角度および排水口を説明する側面視断面図である。
【図９】リンク駆動部材支持部の構造を示す平面視断面図である。
【図１０】ギヤボックスの構造を示す側面視断面図である。
【図１１】リンク駆動部材の変形例を示す模式図である。
【図１２】ダンパ装置の組み付け時の構造を示す平面視断面図である。
【図１３】フレームの形状を示す側面視断面図である。
【図１４】保護カバーおよびフレームの構造を示す側面視断面図である。
【図１５】羽板支持部の変形例を示す模式図である。
【図１６】コネクタ部の構造を示す斜視図である。
【図１７】コネクタ部の構造を示す分解斜視図である。
【発明を実施するための形態】
【００３０】
以下、本発明にかかるダンパ装置の実施形態について図面を用いて説明する。本実施形態にかかるダンパ装置Ｄは、図示しない冷蔵庫の内部に配置され、庫内における冷気の循環を制御する。本実施形態のダンパ装置Ｄは、例えば冷蔵庫のダクトを流通する冷気の流路の中間位置や、ダクトと収納室との間に嵌め込まれて使用される。本発明のダンパ装置の適用対象は冷蔵庫には限られず、流体の流路の開閉や流量の調節を行う目的において広範な機器や設備に適用可能である。
【００３１】
＜全体構成概要＞
図１は、本実施形態に係るダンパ装置Ｄの概略構成およびその動作を示す平面図である。図１（ａ）は、羽板２０が閉じた状態のダンパ装置Ｄであり、図１（ｂ）は、羽板２０が開いた状態のダンパ装置Ｄである。
【００３２】
ダンパ装置Ｄは、３枚の羽板２０、およびこれら羽板２０を回動可能に支持する枠体であるフレーム１０を有している。フレーム１０には、フレーム１０の枠内とダクトとを連通させる一対の開口部である第１開口部１１および第２開口部１２が形成されている。本実施形態のフレーム１０には、冷気が第２開口部１２から流入し、第１開口部１１から流出する。本実施形態における羽板２０は、フレーム１０の第１開口部１１に沿うように平行に並べて配置されている。これら羽板２０は、ダンパ装置Ｄが備えるモータ４０の駆動力により回動し、第１開口部１１を開閉する。
【００３３】
フレーム１０には、枠板が形成されている。枠板には、底板１０ｊおよび隔壁１０ｆが形成されており、羽板２０が収容されている。底板１０ｊは、ダンパ装置Ｄの設置時に底部となるよう形成されている。また、隔壁１０ｆは、底板１０ｊから起立して形成されている。隔壁１０ｆの中央部には、２箇所のリブ１０ｈにより補強された第１開口部１１が形成されており、第１開口部１１は、隔壁１０ｆにより、羽板２０でその全面を覆うことができる程度の開口面積に調節されている。フレーム１０の第２開口部１２側には隔壁１０ｆは設けられておらず、これにより第２開口部１２の開口面積は、第１開口部１１よりも隔壁１０ｆの分だけ広く形成されている。
【００３４】
また、フレーム１０および羽板２０は、同一の樹脂材料により形成されている。そのため、
熱変化による形状伸縮により発生するフレーム１０および複数の羽板２０の間の位置ずれ等の影響を抑制できる。例えば、羽板２０が回動可能に支持されたフレーム１０の長さ方向において、羽板２０のガタツキあるいは羽板２０のロックによる回動の動作不良が発生することを抑制できる。また、羽板２０を取り付けるフレーム１０の軸穴と羽板２０の軸部との間のクリアランスにおいても、同様に羽板２０のガタツキあるいは羽板２０のロックによる回動の動作不良が発生することを抑制できる。これにより、フレーム１０および羽板２０は、熱膨張による不具合を軽減できる。ここで、フレーム１０および羽板２０の長さ方向とは、図１（ａ）の座標軸表示におけるＸ軸方向に平行な方向をいう。
【００３５】
ダンパ装置Ｄは、第１開口部１１を開閉する板状部材（特許文献１におけるバッフルに相当する部材）が複数枚の羽板２０に分割されている。このため、ダンパ装置Ｄの開口面積が大きくなった場合でも、羽板２０の数を増やすことで個々の羽板２０の回動スペースを一定に保つことができる。これにより、ダンパ装置Ｄは、羽板２０の回動スペースを確保することが容易化されており、狭小なスペースにおいても羽板２０を適切に動作させることが可能とされている。
【００３６】
＜羽板の構成＞
図２は、羽板の形状を示す外観斜視図および第２軸部を説明する側面視断面図である。図２（ａ）は、羽板２０の形状を示す外観斜視図、図２（ｂ）は、羽板２０における第２軸部２２の形成位置を説明する側面視断面図である。
【００３７】
羽板２０は細長く形成された板状部材である。以下の説明では、羽板２０のその回動中心線ａに平行な方向において、第２軸部２２および後述する第１軸部２１ｆおよび第１軸部２１ｌを除く寸法を羽板２０の長さｌ、羽板２０の板厚方向の寸法を羽板２０の厚みｔ１といい、羽板２０の表面２０ａまたは裏面２０ｂにおける長さｌ方向に直交する方向の寸法を羽板２０の幅ｗという。また、以下の説明では、羽板２０のその幅ｗ方向における回動中心線ａ側の端部を羽板２０の基端部ｂ、その反対側の端部を羽板２０の先端部ｔという。ここで、羽板２０の表面２０ａは、羽板２０が第１開口部１１を閉じたときの隔壁１０ｆ側の面であり、羽板２０の裏面２０ｂは、隔壁１０ｆ側と反対側の面である。
【００３８】
羽板２０の長さｌ方向の両端には、長さｌ方向に突出した軸部である第１軸部２１ｆおよび第１軸部２１ｌが形成されている。第１軸部２１ｆは、長さｌ方向のフレーム１０側に形成されており、第１軸部２１ｌは、長さｌ方向の後述するリンク機構５０１側に形成されている。第１軸部２１ｆおよび第１軸部２１ｌはフレーム１０に回動可能に支持されており、これにより、羽板２０の回動中心線ａの位置が決められている。羽板２０の長さｌ方向の一端には、長さｌ方向に突出した第２軸部２２が形成されている。第２軸部２２は、モータ４０の駆動力をうけて回動中心線ａを中心とする円弧上を往復移動し、羽板２０の回動角度を決定する。また、各羽板２０が第１開口部１１を閉じたときに、後述する羽板支持部１５ｌをその空間内に逃がし、羽板２０と羽板支持部１５ｌとが接触することを防ぐために、第２軸部２２から先端ｔまでの空間Ｓ１と、補強部２２ｒから第１軸部２１ｌまでの空間Ｓ２が設けられている。第１軸部２１ｆ、第１軸部２１ｌおよび第２軸部２２は、羽板２０の幅ｗ方向において、羽板２０同士または羽板支持部１５ｌとの干渉を防ぎ、かつ可能な限り第１開口部１１を覆うことができるように、先端ｔから空間Ｓ１分だけ距離を空け、かつ空間Ｓ２の両側に配置されている。これにより第１軸部２１ｌを直接駆動する場合に比べて、第１軸部２１ｌの回動中心と力点である第２軸部２２が離れていることによって小さい駆動力で羽板２０を回動させることができるとともに、羽板２０の動作精度が高められている。
【００３９】
羽板２０の幅ｗ方向の両端面は、その表面２０ａ側および裏面２０ｂ側の角部が丸められた曲面により構成されている。これにより、羽板２０の開閉時において、隣接する羽板２０と角部が接触することが防止され、第１開口部１１を閉じたときの各羽板２０間の隙間を小さくすることが可能とされている。
【００４０】
第２軸部２２には、羽板２０および第２軸部２２と一体成形された補強部２２ｒが設けられている。また、第２軸部２２の基端部２２ｂには、径方向の断面積が第２軸部２２の先端部２２ｔよりも大きく形成された補強部２２ｒが設けられている。ここで、径方向とは、図２（ｂ）の座標軸表示におけるＹＺ平面に平行な方向である。補強部２２ｒは、羽板２０の揺動時に、第２軸部２２の基端部２２ｂに加わる応力を分散して受けることができる。そのため、補強部２２ｒは、第２軸部２２の基端部２２ｂの強度を補うことができる。また、補強部２２ｒは第２軸部２２の第１軸部２１ｌ側の側面を支持することで、第２軸部２２の強度を補っている。また、第２軸部２２から先端ｔまでの空間Ｓ１と、補強部２２ｒから第１軸部２１ｌまでの空間Ｓ２は、各羽板２０が第１開口部１１を閉じたときに、後述する羽板支持部１５ｌをその空間内に逃がし、羽板２０と羽板支持部１５ｌとが接触することを防ぐための構成である。また、第２軸部２２は、羽板２０の先端ｔよりも空間Ｓ１分だけ距離を空けて配置されている。空間Ｓ１により、各羽板２０が第１開口部１１を閉じたときに、図２（ｂ）の座標軸表示におけるＹ軸方向に平行な方向において、羽板２０と羽板支持部１５ｌとは、重ねられて設けられている。
【００４１】
第２軸部２２は、羽板２０の長さｌ方向の一端側の端面２２ｆに設けられている。第２軸部２２の径ｄ１は、羽板２０の厚みｔ１方向において、羽板２０の厚みｔ１よりも小さく設けられている。これにより、第２軸部２２の基端部２２ｂには、第２軸部２２の径ｄ１と羽板２０の厚みｔ１との差によるスペースである段部２２ａが形成される。ここで、基端部２２ｂには、凹Ｒ状に肉盛りされたＲ形成面２２ｇが設けられている。また、第２軸部２２は、略円柱状に設けられているが、例えば角部が丸められた略四角柱状に設けられていてもよい。
【００４２】
羽板２０の揺動時には、第２軸部２２における補強部２２ｒ側の端部２２ｃと、段部２２ａに応力が生じる。羽板２０は、段部２２ａが設けられているため、揺動時に生じる応力が段部２２ａに分散されている。これにより、羽板２０の強度が高められている。また、段部２２ａが設けられていることにより、段部２２ａが設けられていない構成に比べて、羽板２０とフレーム１０との隙間が広くなっている。例えば、結露水の凍結により羽板２０がフレーム１０に固着することを想定した場合、羽板２０は、表面２０ａと補強部２２ｒにおける表面２０ａ側の側面との隙間分だけ広くなっている分、凍結が抑制されている。そのため、段部２２ａを設けることにより、羽板２０の破損が抑制されている。
【００４３】
また、図２（ｂ）に示すように、羽板２０により第１開口部１１を開閉するために、羽板２０を揺動する方向において、羽板２０により第１開口部１１を閉じる方向をｂ１方向、羽板２０により第１開口部１１を開く方向をｂ２方向としたときに、第２軸部２２は、羽板２０の一端側の端面２２ｆにおいて、ｂ１方向側の端部２２ｄよりもｂ２方向側に設けられている。このとき、第２軸部２２は、フレーム１０と接近する側の端部２２ｄに段部２２ａが設けられることになる。羽板２０をフレーム１０に閉じた時に、フレーム１０と接近する側に段部２２ａが設けられることにより、特に、結露水の凍結によりフレーム１０に固着した羽板２０をフレーム１０から引き剥がすときの第２軸部２２の折損を防いでいる。
【００４４】
また、第２軸部２２は、羽板２０の一端側の端面２２ｆにおいて、ｂ２方向側の端部２２ｅよりもｂ１方向側に設けられている。このとき、第２軸部２２は、フレーム１０と離反する側の端部２２ｅに、段部２２ａが設けられることになる。そのため、羽板２０は、端面２２ｆにおいて、第２軸部２２の両側に段部２２ａが設けられることになる。これにより、羽板２０によるフレーム１０の開閉時のどちらの場合においても、結露水の凍結によりフレーム１０に固着した羽板２０をフレーム１０から引き剥がすときの第２軸部２２の折損を防いでいる。
【００４５】
尚、本実施形態においては３枚の羽板２０が用いられているが、本発明のダンパ装置の羽板の数は、２枚以上であることを条件として、その上限については特に制限されない。例えば、羽板２０の幅ｗを狭くして、同一面積の流路に対してより多くの羽板２０を配置することにより、個々の羽板２０の回動スペースをさらに小さく抑えることができるが、部品点数が増えることにより、当然、故障率や組み立て工数も増加する。一方、羽板２０の数を減らせば、そのような問題を軽減することができるが、羽板２０の数を減らした分だけ羽板２０の回動スペースは大きくなる。本発明のダンパ装置の羽板の数は、ダンパ装置が用いられる環境条件に応じて、その増減に伴うメリットおよびデメリットのバランスを鑑みて、最適な数を決定すればよい。尚、本実施形態においては、後述するリンク機構５０ｌの構造上、羽板２０を奇数枚とすることが好ましい。
【００４６】
＜フレームの構成＞
（全体構成）
図３は、フレームの形状を示す平面図、側面視断面図および底面図である。図３（ａ）はフレーム１０の平面図、図３（ｂ）は図３（ａ）におけるＡ−Ａ方向断面図、図３（ｃ）はフレーム１０の底面図である。
【００４７】
フレーム１０は、３枚の羽板２０を回動可能に支持する略矩形状の中空の枠体である。フレーム１０には、その枠内に冷気を通す第２開口部１２および第１開口部１１が形成されている。以下、第２開口部１２と第１開口部１１とを連通しているフレーム１０の中空部をフレーム１０の流路部１０ａという。上でも述べたように、フレーム１０には、底板１０ｊから起立した枠板である隔壁１０ｆが形成されている。また、隔壁１０ｆの中央部には、第１開口部１１が形成されている。また、フレーム１０の図３（ａ）視左側の端部には、後述する歯車部材５０ｇが収容されるフレーム１０のケース状部１０ｇと、同じく後述するリンク機構５０ｌが収容される空間であるリンク機構配置部１０ｌと、が一体的に成形されている。
【００４８】
本実施形態のフレーム１０は、流路部１０ａにおける流体の流路方向の寸法を流路部１０ａの高さｈとしたときに、流路部１０ａの高さｈは、各羽板２０の幅ｗと略同じ高さとされている。これにより、ダンパ装置Ｄ全体の薄型化が図られている。流路部１０ａの高さｈは、常に羽板２０の幅ｗと同じである必要はなく、ダンパ装置Ｄが用いられる環境条件に応じて、さらに低くしてもよく、逆に羽板２０の幅ｗより高くしてもよい。例えば、流路部１０ａの高さｈを各羽板２０の幅ｗよりも高くすることにより、ダンパ装置Ｄの組立時や搬送時に羽板２０に不用意に力が加わることを防ぐことができる。
【００４９】
また、第１開口部１１は、隔壁１０ｆの中央部に形成されており、２箇所のリブ１０ｈにより補強されている。また、底板１０ｊにおける隔壁１０ｆ側の端部には、後述する排水口１０ｋが形成されている。ここで、底板１０ｊは、ダンパ装置Ｄの設置時に、底部となる枠板である。
【００５０】
（排水口の構成）
ダンパ装置Ｄは、図３（ａ）の座標軸表示におけるＹ軸方向に平行な方向を上下方向として、図３（ａ）視の状態で、機器や設備に配置される。フレーム１０の図３（ｂ）視下側および図３（ｃ）視下側に示すように、フレーム１０の底板１０ｊにおける隔壁１０ｆ側の端部には、排水口１０ｋが形成されている。排水口１０ｋは、貫通孔であり、羽板２０に発生した結露水をダンパ装置Ｄ外へ排水するためのものである。底板１０ｊにおける隔壁１０ｆ側の端部は、結露水の滞留しやすい場所であり、ここに排水口１０ｋが形成されている。このことにより、ダンパ装置Ｄは、フレーム１０が隔壁１０ｆ側に傾斜して設置されている場合でも、底板１０ｊに結露水が滞留することを抑制できる。これにより、底板１０ｊに排水口１０ｋを形成するものに対して、底板１０ｊにおける角部１０ｓから効果的に排水を行うことができる。ここで、排水口１０ｋは、底板１０ｊにおける隔壁１０ｆ側の端部の近傍に設けることができる。なお、近傍とは、図３（ａ）の座標軸表示におけるＺ軸方向に平行な方向において、隔壁１０ｆ側の端部から所定距離だけ離れた場所のことである。
【００５１】
図２に示す各羽板２０を配置したフレーム１０において、各羽板２０の長さｌ方向と同方向の排水口１０ｋの全長は、長さｃである。排水口１０ｋの長さｃと各羽板２０の長さｌは、同じ長さである。また、長さｃは、長さｌよりも長くてもよい。フレーム１０に各羽板２０の長さｌと同じ長さかまたは長さｌよりも長い全長の排水口１０ｋが設けられていることにより、各羽板２０の長さｌに亘って発生する結露水を、排水口１０ｋに導くことができ、より効率的に排水を行うことができる。
【００５２】
また、各羽板２０の長さｌ方向と同方向の第１開口部１１の全長は、長さｃ１である。第１開口部１１の長さｃ１と各羽板２０の長さｌは、同じ長さである。また、長さｃは、長さｌよりも長くてもよい。フレーム１０に各羽板２０の長さｌと同じ長さかまたは長さｌよりも長い全長の第１開口部１１が設けられていることにより、各羽板２０が第１開口部１１を通過する冷気などに直接晒される範囲が、効率的にカバーされている。なお、第１開口部１１は、各羽板２０の先端部ｔが設けられている領域に形成されている形態が、最適の形態である。
【００５３】
排水口１０ｋには、該排水口１０ｋの長さｃ方向に沿って所定の間隔で、排水口１０ｋの長さｃ方向に直交する方向に横断する補強リブ１０ｑが設けられている。補強リブ１０ｑが設けられていることにより、開口面積の大きな排水口１０ｋが設けられている場合でも、フレーム１０の強度を確保することができる。なお、補強リブ１０ｑが設けられている方向は、排水口１０ｋの長さｃ方向に直交する方向には限定されるものではなく、排水口１０ｋから水が流出できる方向であれば、いかなる方向でもよい。
【００５４】
また、補強リブ１０ｑが横断することにより分割された各排水口１０ｋの穴径は、水滴が排水口１０ｋから流れ落ちることができる大きさに形成されている。また、排水口１０ｋは、フレーム１０の厚さが２．５ｍｍ程度の場合、図３（ｂ）の座標軸表示におけるＺ軸方向に平行な方向において、底板１０ｊの角部１０ｓと隔壁１０ｆとの間の開口幅が２ｍｍ程度に形成されている。これにより、結露水が、その表面張力により排水口１０ｋに滞留することを抑制できる。そのため、排水口１０ｋから効果的に排水を行うことができる。
【００５５】
図８は、図３（ｂ）に示されるフレーム１０に対して、各羽板２０が、第２開口部１２および第１開口部１１を通る冷気の流れを制限するように配置される状態のうち、全開状態および全閉状態で配置されたときの側面視断面図である。図８において、点線表示の各羽板２０は全開状態、一点鎖線表示の各羽板２０は全閉状態を示す。各羽板２０は、ダンパ装置Ｄの設置後に、第２開口部１２および第１開口部１１を通る冷気の流れを制限する角度に配置されたときに、各羽板２０の先端部ｔが排水口１０ｋの鉛直上方に配置されている。これにより、各羽板２０に発生する結露水は、各羽板２０の先端部ｔから下方に垂れて、排水口１０ｋから除去される。そのため、効果的に排水を行うことができる。ここで、鉛直上方となる位置とは、図８の座標軸表示におけるＹ軸方向に平行な方向であって、図８視における下方から上方へ向かう位置のことをいう。
【００５６】
（羽板支持部の構成）
フレーム１０の枠内には、羽板２０を支持する複数の羽板支持部１５ｆおよび羽板支持部１５ｌが形成されている。羽板支持部１５ｆは、フレーム１０の図３（ａ）視右側に形成されており、羽板支持部１５ｌは、フレーム１０の図３（ａ）視左側に形成されている。羽板支持部１５ｆは、羽板２０のフレーム１０側の第１軸部２１ｆを回動可能に支持する軸受である。また、羽板支持部１５ｌは、リンク機構５０１側の第１軸部２１ｌを回動可能に支持する軸受である。羽板支持部１５ｆおよび羽板支持部１５ｌは、各羽板２０に対して一対ずつ、羽板２０の長さｌ方向の両端に相当する位置に設けられている。各羽板２０の一対の羽板支持部１５ｆおよび羽板支持部１５ｌのうち、図３（ａ）視左側の羽板支持部１５ｌは、隔壁１０ｆに形成されており、その周方向の一部に、第１軸部２１ｌがその羽板支持部１５ｌに対して径方向に差し込まれる切欠部である差込口１５ａが形成されている。図３（ａ）視右側の羽板支持部１５ｆは、フレーム１０の内壁面に形成されており、同羽板支持部１５ｆの軸穴は、フレーム１０の側壁を貫通しない凹部とされている。これにより、同羽板支持部１５ｆに塗布されたグリスはその軸穴内に留められ、グリスが容易に外部へ流出することが防止されている。図３（ａ）視左側の羽板支持部１５ｌは、羽板２０の第１軸部２１ｌが、羽板支持部１５ｌに形成されている差込口１５ａに対して、差込口１５ａが弾性変形することにより差し込まれている。
【００５７】
また、図３（ａ）において最も下側に配置された羽板支持部１５ｆおよび羽板支持部１５ｌの組は、その支持する羽板２０が閉状態にあるときに、その羽板２０の先端部ｔが隔壁１０ｆに重なる位置に調節されている（図１（ａ）参照）。さらに、図３（ａ）において最も上側に配置された羽板支持部１５ｆおよび羽板支持部１５ｌの組は、その支持する羽板２０が全開状態にあるときに、その羽板２０の少なくとも一部が、第１開口部１１側から見て第１開口部１１の開口面積に影響しない位置に調節されている（図１（ｂ）参照）。本実施形態のダンパ装置Ｄでは、羽板支持部１５ｆおよび羽板支持部１５ｌがこのように配置されていることにより、流路部１０ａの流れを阻害しないようになっている。
【００５８】
また、図８に示されるように、差込口１５ａが形成された各羽板支持部１５ｌの、その周方向における差込口１５ａの開口角度は、第１開口部１１の開口径方向のうち、各羽板２０の長さｌ方向と直交する方向である短辺方向１１ａに対して、直角となる角度に設定されている。なお、第１開口部１１の「開口径方向」とは、第１開口部１１の開口面積を定める面方向であって、図８の座標軸表示におけるＸＹ平面に平行な方向をいう。また、短辺方向１１ａと「直角」とは図８の座標軸表示におけるＺ軸方向に平行な方向をいう。
【００５９】
羽板支持部１５ｌの差込口１５ａを第１開口部１１の短辺方向１１ａに対して直角に形成することにより、差込口１５ａは、羽板２０の回動動作の全開となる方向に開口されることとなる。本実施形態のダンパ装置Ｄは、差込口１５ａの切欠方向が羽板２０の回動動作の全開となる方向に向けられていることにより、羽板２０を羽板支持部１５ｌの差込口１５ａにたいして、鉛直方向から嵌合できる。これにより、羽板２０をフレーム１０へ容易に組み付けることができる。ここで、鉛直方向とは、図８の座標軸表示におけるＺ軸方向に平行な方向のことをいう。また、各羽板支持部１５ｌは、図８の座標軸表示におけるＹ軸方向に平行な方向にたいして、左右対称の形状に形成されている。これにより、各羽板支持部１５ｌは、羽板２０を取り付ける時に、羽板２０から加えられる荷重による変形を左右に分散できる。そのため、羽板支持部１５ｌの破損が抑制されている。なお、図８に示す羽板支持部１５ｌの差込口１５ａを鉛直上方に移動させて、羽板支持部１５ｌの少なくとも一部がフレーム１０と一体化するように配置した場合には、フレーム１０をコンパクトにすることができる。
【００６０】
また、図１３は、図３（ａ）におけるＦ−Ｆ方向から見たフレームの形状を示す側面視断面図である。図３（ａ）、および図１３に示されるように、流路部１０ａを区画するフレーム１０の内面には、内面の位置が部分的にフレーム１０の外側に窪められた窪み部１０ｂが設けられている。また、窪み部１０ｂは、流路部１０ａの内側寸法ａ１が、部分的に内側寸法ａ２に窪められて設けられている。窪み部１０ｂは、後述する第２リンク部材５７の揺動空間を確保するために設けられている。また、第２リンク部材５７は、各羽板２０を回動させるために設けられている。これにより、図１３において最も上側に配置された羽板支持部１５ｌは、窪み部１０ｂにおいて、流路部１０ａの内周面１０ｉとの間に隙間ｍが確保されている。
【００６１】
窪み部１０ｂにより流路部１０ａの内周面１０ｉとの隙間ｍが確保された羽板支持部１５ｌは、窪み部１０ｂがなければ流路部１０ａの内周面１０ｉと接触するか、内周面１０ｉに羽板支持部１５ｌの一部が一体化される位置にある。羽板支持部１５ｌが内周面１０ｉに接触している場合、その羽板支持部１５ｌは内周面１０ｉ側への変形が阻害されるため、他の部分の変形量が大きくなる。これにより羽板支持部１５ｌが破損しやすくなる。一方、図１３において最も上側に配置された羽板支持部１５ｌは、流路部１０ａの内周面１０ｉとの間に隙間ｍが確保されていることにより、羽板２０を取り付ける時に、羽板支持部１５ｌの破損が抑制されている。
【００６２】
＜動力伝達機構＞
（全体構成）
図４は、本実施形態のダンパ装置Ｄの分解斜視図である。ダンパ装置Ｄは、モータ４０の駆動力で羽板２０を回動させて第１開口部１１を開閉することにより、冷気の流路を連通させたり、遮断したりする。モータ４０の駆動力は、歯車部材５０ｇおよびリンク機構５０ｌからなる動力伝達機構５０により、羽板２０に伝達される。
【００６３】
（モータ）
本実施形態のモータ４０にはステッピングモータが使用されている。ステッピングモータは正逆両方向に回転可能であり、また、ステップ数によりその回転角度を算出することができる。よって、羽板２０のその時々における配置角度を検出するために別途ロータリエンコーダなどによるフィードバック制御を行う必要がない。これにより、ダンパ装置Ｄ全体における部品点数の削減および装置の小型化が図られている。
【００６４】
（歯車部材）
図５は、図４のＢ方向から見た歯車部材５０ｇの減速構造を示す透過平面図である。以下、図４と図５を参照して歯車部材５０ｇについて説明する。
【００６５】
モータ４０の駆動力は、その出力軸に固定されたモータピニオン４１から、歯車部材５０ｇを介して減速されてリンク機構５０ｌに伝達される。歯車部材５０ｇは、第１歯車５１から第４歯車５４、および、リンク機構５０ｌを揺動させるリンク駆動部材である第５歯車５５の５つの歯車部材により構成されている。
【００６６】
モータ４０は、後述するギヤボックス１０ｎを構成するケース体であるモータカバー４４におけるケース半体である第１モータカバー４３に収容されており、フレーム１０に形成されたケース状部１０ｇと、第１モータカバー４３との間に配置されたケース半体である第２モータカバー３０により、連結されている。また、モータ４０は、後述するコネクタ部６０を備えている。第１歯車５１は、第１モータカバー４３と第２モータカバー３０とにより区画される空間内に配置され、同空間内に設けられた支軸４２に回転可能に支持されている。第２歯車５２から第４歯車５４は、フレーム１０のケース状部１０ｇと第２モータカバー３０とにより区画される空間内に配置され、同空間内に設けられた支軸３２に回転可能に支持されている。第５歯車５５は、第２モータカバー３０に形成された凹部３３と、ケース状部１０ｇから流路部１０ａに貫通した軸受部であるリンク駆動部材支持部１６とにより回転可能に支持されている。
【００６７】
第１歯車５１から第４歯車５４は、モータピニオン４１の回転を減速して第５歯車５５に伝達する減速歯車列である。第５歯車５５は、第４歯車５４と噛合する扇状の歯車が形成された歯車部５５ｇと、その駆動力をリンク機構５０ｌに伝達する出力軸部である軸部５５ｓとが一体化された部材である。第５歯車５５の軸部５５ｓは、その外周面の一部が平面状に切り欠かれている。かかる切り欠きは、軸部５５ｓの周方向において対称となる位置に一対設けられている。
【００６８】
軸部５５ｓの外周形状は、非真円に設けられており、軸部５５ｓは、後述する第１リンク部材５６の嵌合穴５６ｂの内面と嵌合する。嵌合穴５６ｂは、軸部５５ｓと周方向に係合可能な形状に形成されている。ここで、非真円とは、真円以外の形状のことである。また、軸部５５ｓの周方向には、嵌合穴５６ｂの内面と係合する角部５５ｋが設けられていることにより、角部５５ｋは、軸部５５ｓの周方向への回り止めとなっている。このとき、軸部５５ｓと第１リンク部材５６とは、後述する軸部５５ｓのアール面５５ｈ、５５ｊを嵌合穴５６ｂの内面に圧入することによる摩擦係合により、嵌合されている。ここで、軸部５５ｓのアール面５５ｈ、５５ｊは、第１リンク部材５６との軸線方向における抜け止めになっている。これにより、非真円に設けられた軸部５５ｓと、軸部５５ｓと周方向に係合可能な形状に形成されている嵌合穴５６ｂの内面とが、圧入されることで連結されることにより、容易に軸部５５ｓに対して嵌合穴５６ｂが移動したり外れたりすることが抑制されている。ここで、圧入とは、第５歯車５５および第１リンク部材５６の変形時の弾性力により軸部５５ｓと嵌合穴５６ｂの内面との間に摩擦力が発生して、軸部５５ｓが嵌合穴５６ｂの内面に係止されていることである。
【００６９】
ここで、嵌合穴５６ｂの内面は、貫通孔が設けられているが、軸部５５ｓと周方向に係合可能な形状に形成されているものであれば、貫通孔以外に凹部が設けられていても良い。なお、軸部５５ｓの外周面と嵌合穴５６ｂの内面とは、同一形状である必要はなく、角部５５ｋにより嵌合穴５６ｂの内面に対する回り止めおよび嵌合ができる形状であれば、いかなる形状でもよい。
【００７０】
より具体的には、第５歯車５５の軸部５５ｓの外周面には、軸部５５ｓの周方向において、対称となる位置に、二つの平面部５５ｎが設けられている。これにより、軸部５５ｓは、二つの平面部５５ｎが軸部５５ｓの周方向への回り止めとなっている。また、軸部５５ｓは、二つの平面部５５ｎの両端部に、角部５５ｋが設けられている。また、平面部５５ｎ以外の面は、軸部５５ｓの周方向における対称位置に、周方向に沿って湾曲した曲面であるアール面５５ｈ、５５ｊが設けられており、アール面５５ｈ、５５ｊは、嵌合穴５６ｂの内面に曲面で圧入されている。また、アール面５５ｈ、５５ｊは、真円の一部の円弧を切り取った一部であり、それぞれの回転軸を同一にする円周の一部である。これにより、軸部５５ｓを、その径方向で嵌合穴５６ｂの内面と圧入することで連結することにより、第５歯車５５と第１リンク部材５６の軸の位置が固定されて、同軸が容易に確保されている。
【００７１】
また、嵌合穴５６ｂの内面は、軸部５５ｓの外形に対応した形状に形成されている。これにより、軸部５５ｓは、嵌合穴５６ｂの内面の形状に沿って圧入されている。そのため、第５歯車５５と第１リンク部材５６の同軸が容易に確保されている。
【００７２】
図１１は、第５歯車５５の軸部５５ｓの外周面に、一つの平面部が設けられている変形例である。以下、図１１を参照して軸部５５ｓの変形例について説明する。ここで、軸部５５ｓと嵌合する嵌合穴５６ｂの内面は、軸部５５ｓと周方向に係合可能な形状に形成されているものとする。
【００７３】
図１１の第５歯車５５ａは、軸部５５ｓの外周面に、一つの平面部５５ｐが設けられている。軸部５５ｓの周方向における平面部５５ｐの両端部には、角部５５ｔが設けられていることにより、角部５５ｔは、第１リンク部材５６の嵌合穴５６ｂの内面と２箇所で接触する。また、軸部５５ｓの周方向における平面部５５ｐ以外の面は、アール面５５ｒが設けられていることにより、アール面５５ｒは、嵌合穴５６ｂの内面と曲面で接触する。曲面で接触するアール面５５ｒは、嵌合穴５６ｂの内面に対して曲面部で圧入して嵌合されているため、軸部５５ｓと嵌合穴５６ｂとの同軸を確保し易くなっている。これにより、軸部５５ｓと、嵌合穴５６ｂの内面とが、圧入されることで連結されることにより、第５歯車５５ａと第１リンク部材５６との間でスリップが発生することが抑制されている。また、アール面５５ｒを設けることにより、平面部５５ｐよりも嵌合穴５６ｂの内面に対して接触面積を増やすことができている。これにより、アール面５５ｒを嵌合穴５６ｂと同軸の円弧面とすることにより、第５歯車５５ａと第１リンク部材５６との同軸が容易に確保されている。
【００７４】
歯車部材５０ｇを構成する第１歯車５１から第４歯車５４は、大径の平歯車および小径の平歯車が軸方向に連結されて一体化された複合歯車である。モータ４０のモータピニオン４１には第１歯車５１の大径歯車５１ｗが噛合しており、大径歯車５１ｗの回転はその小径歯車５１ｎに減速されて伝達される。第２モータカバー３０には、フレーム１０側に突き出した有蓋筒状の突起部であるカバー部３１が形成されており、その筒内には第１歯車５１の小径歯車５１ｎが収容されている。カバー部３１はその周方向の一部が切り欠かれており、そこから小径歯車５１ｎの一部が露出している。そして、小径歯車５１ｎのその露出した部分は、第２歯車５２の大径歯車５２ｗに噛合している。以降、順次、第２歯車５２の小径歯車５２ｎから第３歯車５３の大径歯車５３ｗに、第３歯車５３の小径歯車５３ｎから第４歯車５４の大径歯車５４ｗに、第４歯車５４の小径歯車５４ｎから第５歯車５５の歯車部５５ｇに、モータ４０の駆動力が減速されて伝達される。
【００７５】
図６は、リンク駆動部材支持部１６に挿入された第５歯車５５を、図４のＣ方向からみた側面図である。説明の便宜上、フレーム１０と第５歯車５５以外の部材は図示を省略している。第５歯車５５の歯車部５５ｇとフレーム１０のケース状部１０ｇは、羽板２０が所定の回動角度になったとき、すなわち、第５歯車５５が所定の角度位置になったときに、互いに当接することでリンク機構５０ｌへの駆動力の伝達を遮断する、ストッパ部５５ｃ、５５ｖ、１０ｃ、１０ｖを有している。歯車部５５ｇは、羽板２０が回動して第１開口部１１を全閉にする位置において、歯車部５５ｇのストッパ部５５ｃが、ケース状部１０ｇのストッパ部１０ｃに当接する。また、歯車部５５ｇは、羽板２０が回動して第１開口部１１を全開にする位置において、歯車部５５ｇのストッパ部５５ｖが、ケース状部１０ｇのストッパ部１０ｖに当接する。これにより、ストッパ部５５ｖがストッパ部１０ｖに当接する位置から、ストッパ部５５ｃがストッパ部１０ｃに当接する位置の間が、第５歯車５５の揺動角度の範囲となっており、羽板２０が開閉する範囲となっている。本実施形態の動力伝達機構５０は、羽板２０がその回動限界角度に至った時に、リンク機構５０ｌよりも前の動力伝達部材で駆動力の伝達を遮断する構成とされていることにより、羽板２０やリンク機構５０ｌに過剰な応力が加えられることが防止されており、羽板２０およびリンク機構５０ｌの部品寿命の低下が抑えられている。本実施形態においては第５歯車５５にストッパ部５５ｃ、５５ｖが設けられているが、本発明の歯車部材側のストッパ部は、第５歯車５５以外の歯車部材に設けられていてもよい。尚、本実施形態では、ケース状部１０ｇがフレーム１０の一部としてフレーム１０と一体成形されているが、ケース状部１０ｇはフレーム１０とは別体であってもよい。
【００７６】
（リンク駆動部材支持部）
図９は、リンク駆動部材支持部の構造を示す平面視断面図である。以下、図９を参照してリンク駆動部材支持部１６および第５歯車５５の軸部５５ｓについて説明する。
【００７７】
第５歯車５５は、歯車部材５０ｇおよびリンク機構５０ｌからなる動力伝達機構５０において、動力伝達部材である歯車部材５０ｇを構成している部品である。第５歯車５５は、その軸部５５ｓが、フレーム１０に形成された貫通孔１６ａから流路部１０ａ内に挿入されている。軸部５５ｓは、先端部５５ｄと、大径部５５ｆと、拡径部５５ｅと、が形成されており、先端部５５ｄは、流路部１０ａ内に挿入されている。大径部５５ｆは、先端部５５ｄよりも直径が大きくなっている。拡径部５５ｅは、先端部５５ｄと、大径部５５ｆとの間に形成されている。なお、先端部５５ｄは、流路部１０ａ内の後述する第１リンク部材５６の嵌合穴５６ｂに嵌合されている。
【００７８】
貫通孔１６ａの縁部１６ｃには、抜け止め部であるリンク駆動部材支持部１６が形成されている。リンク駆動部材支持部１６は、軸部５５ｓの先端部５５ｄを支持している。また、リンク駆動部材支持部１６の軸部５５ｓとの対向面の形状は、軸部５５ｓの先端部５５ｄの外周面を支持しており、拡径部５５ｅの少なくとも一部と軸部５５ｓの軸線方向に当接可能であり、大径部５５ｆの先端部５５ｄ側の一部を覆う形状に形成されている。また、拡径部５５ｅは、リンク駆動部材支持部１６の内周面に当接することにより、第５歯車５５の軸線方向の移動が規制されている。ここで、軸線方向とは、図９の座標軸表示におけるＸ軸方向に平行な方向をいう。
【００７９】
リンク駆動部材支持部１６の軸部５５ｓとの対向面の形状は、軸部５５ｓの先端部５５ｄの外周面を支持しており、拡径部５５ｅの少なくとも一部と軸部５５ｓの軸線方向に当接可能であり、大径部５５ｆの先端部５５ｄ側の一部を覆う形状に形成されていることにより、先端部５５ｄからケース状部１０g内へ侵入する水の浸入経路は、拡径部５５ｅの長さ分、長くなっている。これにより、水がケース状部１０g内に侵入することを抑制することができる。また、軸部５５ｓは、拡径部５５ｅにより、先端部５５ｄからケース状部１０g内へ浸入する水の浸入路が屈曲している。これにより、水がケース状部１０g内に浸入することが抑制されている。
【００８０】
軸部５５ｓとリンク駆動部材支持部１６との間には、潤滑剤であるグリスｇが充填されている。これにより、これらの隙間からの水の浸入が阻止されている。また、リンク駆動部材支持部１６は大径部５５ｆ、拡径部５５ｅ、および先端部５５ｄに沿って形成されていることから、リンク駆動部材支持部１６の内面には、段状に屈曲した部分である段状部１６ｂが設けられている。この段状部１６ｂにより、軸部５５ｓの回転によるグリスｇの流出が抑えられ、グリスｇによる防水効果を長く保つことが可能とされている。
【００８１】
また、軸部５５ｓの大径部５５ｆと、リンク駆動部材支持部１６との間に設けられた隙間ｄは、先端部５５ｄと、リンク駆動部材支持部１６との間に設けられたクリアランスｅよりも大きく設けられている。これにより、隙間ｄ内にグリスｇをクリアランスｅよりも多く充填することができ、グリスｇによる防水効果が長く保たれている。一方で、軸部５５ｓの先端部５５ｄと、リンク駆動部材支持部１６との間のクリアランスｅを可能な限り小さくすることにより、リンク駆動部材支持部１６に対する先端部５５ｄの位置決め精度が高められるとともに、ケース状部１０g内への水の進入口が狭められ、防水性がさらに高められている。
【００８２】
また、大径部５５ｆと、拡径部５５ｅとの間の角部５５ａは、曲面に丸められている。リンク駆動部材支持部１６は、大径部５５ｆ、拡径部５５ｅ、および先端部５５ｄに沿って形成されており、これにより、リンク駆動部材支持部１６の内面には、段状に屈曲した部分である段状部１６ｂが設けられている。そして、大径部５５ｆと、拡径部５５ｅとの間の角部５５ａを曲面に丸めることにより、その角部５５ａと段状部１６ｂとの間に、角部５５ａが到達できない隙間ｆが確保されている。かかる隙間ｆに蓄えられたグリスｇは容易には飛散・漏出せずに留まるため、グリスｇによる防水効果がより長く保たれている。
【００８３】
（ギヤボックス）
図１０は、図４のＥ方向から見たギヤボックスの構造を示す側面視断面図である。以下、図４、図５、および図１０を参照してギヤボックス１０ｎについて説明する。なお、説明の便宜上、図１０はフレーム１０、モータ４０、モータピニオン４１、第１歯車５１、および第２歯車５２以外の部材は図示を省略している。
【００８４】
フレーム１０には、歯車部材５０ｇが収容されるケース体であるギヤボックス１０ｎが形成されている。ギヤボックス１０ｎは、フレーム１０のケース状部１０ｇ、およびフレーム１０のケース状部１０ｇに嵌合されるモータカバー４４からなり、モータカバー４４は、２つのケース部材である第１モータカバー４３、第２モータカバー３０により構成されている。第１モータカバー４３は、モータ４０が収容されている。第２モータカバー３０は、フレーム１０のケース状部１０ｇと第１モータカバー４３との間に配置されている。ギヤボックス１０ｎの内部は、複数の歯車部材５０ｇを構成する第１歯車５１の軸線方向に３つの層に分割されている。ここで、軸線方向とは、図１０の座標軸表示におけるＸ軸方向に平行な方向をいう。
【００８５】
上でも述べたように、第１歯車５１は、第２モータカバー３０と第１モータカバー４３との間に収容されており、第１歯車５１の大径歯車５１ｗは、モータ４０のモータピニオン４１と第２モータカバー３０内において噛合している。モータピニオン４１が収容された第２モータカバー３０において、ケース状部１０ｇを隔てる隔壁３０ｃには、ケース状部１０ｇ側に突き出した有蓋筒状のカバー部３１が設けられている。また、第１歯車５１の支軸４２は、ケース状部１０ｇ側の端部がカバー部３１の蓋部３１ａに固定されている。また、支軸４２は、第１モータカバー４３側の端部がモータ４０と第２モータカバー３０との間で固定されている。また、第１歯車５１は、小径歯車５１ｎおよび支軸４２の一部がカバー部３１の筒内に収容されている。カバー部３１は、その周方向の一部が切り欠かれていて、そこから第１歯車５１の小径歯車５１ｎがケース状部１０ｇ内に露出しており、ケース状部１０ｇ内において第２歯車５２の大径歯車５２ｗと噛合している。ここで、モータ４０は、略正方形の第１モータカバー４３の中央部に配置されている。そのため、モータピニオン４１をケース状部１０ｇ内に貫通させた場合には、ケース状部１０ｇ内において歯車部材５０ｇの配置の自由度が低くなり、歯車部材５０ｇをケース状部１０ｇ内にコンパクトに配置することが困難となる。ここで、第１歯車５１は、第１モータカバー４３の中央部からずれた位置においてケース状部１０ｇ内に貫通している。第１歯車５１は、支軸４２のケース状部１０ｇ側の端部がカバー部３１の蓋部３１ａに固定されていることにより、モータピニオン４１が収容された第２モータカバー３０内に収容され、第１歯車５１の小径歯車５１ｎがカバー部３１の切り欠かれた部分からケース状部１０ｇ内に露出している。これにより、モータピニオン４１の配置された位置に制約を受けない位置に第１歯車５１を配置することができる。そのため、ケース状部１０ｇの歯車部材５０ｇの配置の自由度を高めることで、スペースの有効利用がされている。
【００８６】
ダンパ装置Ｄは、ギヤボックス１０ｎの内部を複数の歯車部材５０ｇの軸線方向に３つの層に分割することにより、第１歯車５１から第４歯車５４により構成される減速歯車列の平面方向への広がりを高さ方向に転換し、その平面方向におけるギヤボックス１０ｎの寸法が小さくされている。これにより、ダンパ装置Ｄは、小型化されている。ここで、平面方向とは、図４の座標軸表示におけるＹＺ平面に平行な方向であり、高さ方向とは、図４の座標軸表示におけるＸ軸方向に平行な方向である。また、対向する面は、一部、当接して設けられていてもよい。
【００８７】
ケース状部１０ｇには嵌合部１０ｔ、第２モータカバー３０には嵌合部３０ａおよび嵌合部３０ｂ、第１モータカバー４３には嵌合部４３ａが設けられており、嵌合部３０ａの内周面と嵌合部４３ａの外周面とが、第２モータカバー３０および第１モータカバー４３の厚み方向に対向するように嵌合されている。また、嵌合部３０ｂの内周面と嵌合部１０ｔの外周面とが、第２モータカバー３０およびケース状部１０ｇの厚み方向に対向するように嵌合されている。ギヤボックス１０ｎは、ケース状部１０ｇ、第２モータカバー３０、および第１モータカバー４３の３つのケース部材が互いに厚み方向に対向するように嵌合されていることにより、対向する面の隙間を小さくすることができる。これにより、ダンパ装置Ｄは、ギヤボックス１０ｎの内部へ水が直接、浸入することが抑制されている。ここで、厚み方向とは、図１０の座標軸表示におけるＺ軸方向に平行な方向である。また、対向する面は、一部、当接して設けられていてもよい。
【００８８】
なお、例えば、冷蔵庫の奥に本発明のダンパ装置を配置する場合、ギヤボックスの平面方向の寸法が小さくなることにより、冷蔵庫の格納スペースの奥行きを増やすことが可能となる。
【００８９】
（リンク機構）
図７は、リンク機構５０ｌの揺動動作を図４のＣ方向から見た図である。図７（ａ）は羽板２０が全開状態のときの透過側面図であり、図７（ｂ）は羽板２０が閉状態のときの透過側面図である。以下、図４と図７を参照してリンク機構５０ｌについて説明する。
【００９０】
リンク機構５０ｌは、第１リンク部材５６および第２リンク部材５７により構成されている。第１リンク部材５６は、第５歯車５５の駆動力を受けて第２リンク部材５７を揺動させ、これにより第２リンク部材５７は、３枚の羽板２０の第２軸部２２を、それら各羽板２０の回動中心線ａを中心とする円弧上で往復移動させ、各羽板２０を回動させる。
【００９１】
第１リンク部材５６は、２つの略円筒形状の軸受が互いに径方向に連結された部材である。第１リンク部材５６は、第５歯車５５の軸部５５ｓが嵌合される嵌合穴５６ｂと、第２リンク部材５７の連結軸５７ａを回動可能に支持する軸穴５６ａとを有している。第１リンク部材５６の嵌合穴５６ｂの形状は、第５歯車５５の軸部５５ｓの形状に対応している。これにより、軸部５５ｓの平面に切り欠かれた部分が、嵌合穴５６ｂに対して周方向に係合し、第５歯車５５と第１リンク部材５６とが一体的に回動する。
【００９２】
第２リンク部材５７は、細長い板状体を主構成とする部材である。第２リンク部材５７の羽板２０側の面には、３枚の羽板２０の第２軸部２２を回動可能に支持する３つの連結穴５７ｂが形成されており、その反対側の面には、第１リンク部材５６の軸穴５６ａに支持される連結軸５７ａが第１リンク部材５６側に突出している。また、連結穴５７ｂは、穴底を有する軸穴に形成されている。第２リンク部材５７は、羽板２０を連結穴５７ｂの穴底に当接させることにより、羽板２０の軸線方向の位置決めをすることができる。これにより、第２リンク部材５７と羽板２０の補強部２２ｒとが当接することによる引っ掛かりが抑止されている。ここで、軸線方向とは、図７の座標軸表示におけるＸ軸方向に平行な方向をいう。
【００９３】
本実施形態のリンク機構５０ｌ、羽板２０、およびフレーム１０は、第１リンク部材５６を駆動リンクとし、第２リンク部材５７を中間リンク、フレーム１０を固定リンク、各羽板２０を従動リンクとする４節リンク機構を構成している。これにより、簡易な構造で各羽板２０の回動動作を同期させることが可能とされている。
【００９４】
ここで、フレーム１０のリンク駆動部材支持部１６には、第５歯車５５の軸部５５ｓが支持されている。本実施形態におけるフレーム１０には、このリンク駆動部材支持部１６と、上述の羽板支持部１５ｆおよび羽板支持部１５ｌとが一体成形されている。本実施形態のダンパ装置Ｄでは、羽板支持部１５ｆおよび羽板支持部１５ｌとリンク駆動部材支持部１６とが枠体１０と一体成形されていることにより、羽板２０とリンク機構５０ｌとの相対的な位置関係を一定に保つことが可能とされている。これにより、寸法誤差や組立誤差によるこれら部材の位置精度への影響が抑えられており、羽板２０のスムーズな動作が担保されている。
【００９５】
また、リンク機構５０ｌは、図１や図４においてリンク機構５０ｌの第２開口部１２側が保護カバーであるカバー部１９で覆われていることからも分かるように、その揺動範囲が、フレーム１０の流路部１０ａの範囲内に収まっている。つまり、本実施形態のリンク機構５０ｌは、その揺動動作の全過程において、フレーム１０の外部にその端部が突き出すことがない。これにより、ダンパ装置Ｄの設置場所の自由度が高められている。
【００９６】
さらに、リンク駆動部材支持部１６の軸穴方向、各羽板支持部１５ｆおよび羽板支持部１５ｌの軸穴方向は、一直線上または平行となる向きに延びている。本実施形態のダンパ装置Ｄは、これらリンク駆動部材支持部１６と各羽板支持部１５ｆおよび羽板支持部１５ｌの軸穴方向が同一方向とされていることにより、モータ４０の駆動力を効率的に伝達することができ、また、羽板２０のねじれなど、各部材に加わる負荷が抑えられている。
【００９７】
また、第２リンク部材５７が回動可能に支持する羽板２０の枚数が奇数枚のときには、第２リンク部材５７の連結軸５７ａと、奇数箇所の連結穴５７ｂにおいて中央に形成された連結穴５７ｂとを、同軸に配置することができる。これにより、第２リンク部材５７の左右方向における中央の位置に、第５歯車５５の軸部５５ｓおよび第１リンク部材５６を配置することができる。そのため、第２リンク部材５７は、羽板２０をスムーズに回動させることができる。ここで、左右方向とは、図７の座標軸表示におけるＹ軸方向に平行な方向である。
【００９８】
（部品間のクリアランス除去工程）
図１２は、ダンパ装置の組み付け時の構造を示す平面視断面図である。図１２（ａ）は、リンク駆動部材である第１リンク部材５６、第２リンク部材５７および各羽板２０の組み付け時の構造を示す平面視断面図、図１２（ｂ）は、第５歯車５５を第２リンク部材５７に圧入後、圧入しろを調節して、部品間の遊びであるクリアランスを除去する構造を示す平面視断面図である。以下、図１２を参照して、第５歯車５５を第２リンク部材５７に圧入後、圧入しろを調節して、部品間のクリアランスを除去する工程について説明する。
【００９９】
ダンパ装置Ｄは、図１２（ａ）に示すように、フレーム１０に、各羽板２０、第１リンク部材５６、第２リンク部材５７を組み付ける。これらの部品は、各部品間で干渉することがないように組み付ける。それにより、各部品は、スムーズな動作が担保されており、各部品間には、不可避的に、組み付け時のクリアランスが設けられている。ここで、クリアランスとは、設計上、考慮される交差等の寸法上の余裕であり、後述する隙間とは、意図的に設けているものである。
【０１００】
また、各羽板２０の長さ方向に平行な方向をダンパ装置Ｄの軸線方向としたときに、第１リンク部材５６、第２リンク部材５７、各羽板２０、およびフレーム１０の各連結部には軸線方向の隙間である遊びが設けられている。ここで、軸線方向とは、図１２の座標軸表示におけるＸ軸方向に平行な方向をいう。
【０１０１】
このとき、各羽板２０と、フレーム１０との間には、各羽板２０における図１２（ａ）視右側のフレーム１０側の第１軸部２１ｆ側の端面２１ｈと、フレーム１０における図１２（ａ）視右側の羽板支持部１５ｆの端面１５ｃとの間に遊びであるクリアランスｈ１が設けられる。また、第２リンク部材５７における軸受部である連結穴５７ｂの底面と、各羽板２０における図１２（ａ）視左側の羽板の先端２２ｔとの間にクリアランスｉが設けられる。また、第１リンク部材５６における軸受部である嵌合穴５６ａの図１２（ａ）視右側の端面５６ｃと、第２リンク部材５７における軸部である連結軸５７ａの基端部の端面５７ｃとの間にクリアランスｊが設けられる。
【０１０２】
また、第５歯車５５はダンパ装置Ｄの軸線方向における位置が固定されている。第１リンク部材５６は、第５歯車５５との圧入状態を維持しつつ、ダンパ装置Ｄの軸線方向における位置を後述する隙間ｋの範囲内で変更可能である。
【０１０３】
次に、各部品間のクリアランスを除去する工程について説明する。ダンパ装置Ｄは、図１２（ｂ）に示すように、フレーム１０に、各羽板２０、第１リンク部材５６、第２リンク部材５７を組み付けた後、第５歯車５５の凸部である軸部５５ｓを、第１リンク部材５６の貫通孔である嵌合穴５６ｂに圧入することにより、第５歯車５５および第１リンク部材５６の摩擦力によって係止されている。このとき、圧入しろを調節することにより、第１リンク部材５６の端面５６ｃは、第２リンク部材５７の端面５７ｃに当接する。また、第２リンク部材５７は、第１リンク部材５６に押圧されることにより各羽板２０を押圧する。このとき、羽板２０の先端２２ｔと第２リンク部材の連結孔５７ｂの底面が当接する。これにより、第２リンク部材５７と羽板２０の補強部２２ｒとの間に隙間を設けることが可能であり、羽板２０の開閉動作時に、第２リンク部材５７と羽板２０の補強部２２ｒとが干渉することが防止されている。また、各羽板２０は、第２リンク部材５７に押圧されることによりフレーム１０を押圧する。このとき、各羽板２０の端面２１ｈは、羽板支持部１５ｆのフランジ部の端面１５ｃに当接する。これにより、各羽板２０とフレーム１０との摺動面がフランジ部と羽板２０の重なる部分のみとなり、羽板２０の開閉動作時の摩擦力が抑制されている。また、羽板２０の開閉動作時には、羽板２０の先端２２ｔと第２リンク部材の連結孔５７ｂの底面が当接して摺動する。また、第１リンク部材５６と第２リンク部材５７とが当接して摺動する。
【０１０４】
このとき、第１リンク部材５６、第２リンク部材５７、各羽板２０、およびフレーム１０の部品間のクリアランスｈ１、クリアランスｉおよびクリアランスｊは除去されている。また、第５歯車５５の軸部５５ｓにおける図１２（ｂ）視左側の端面５５ｘと、第１リンク部材５６における図１２（ｂ）視左側の端面５６ｄとの間に隙間ｋが設けられる。隙間ｋの圧入しろである調整域は、クリアランスｈ１、クリアランスｉ、およびクリアランスｊの累積分よりも長く設けられている。これにより、ダンパ装置Ｄは、クリアランスｈ１、クリアランスｉ、およびクリアランスｊを潰すことができるように圧入しろをクリアランスｈ１、クリアランスｉ、およびクリアランスｊの累積分よりも長く設け、クリアランスｈ１、クリアランスｉ、およびクリアランスｊを潰して圧入しろの部分のみで調整し、第１リンク部材５６、第２リンク部材５７、各羽板２０、およびフレーム１０の部品間のガタつきを抑制し、異音の発生や動作不良が低減されている。
【０１０５】
（保護カバー）
図１４は、図４におけるＧ−Ｇ方向から見た保護カバーおよびフレームの構造を示す側面視断面図である。以下、図４および図１４を参照して保護カバーであるカバー部１９およびフレーム１０について説明する。なお、説明の便宜上、図１４はカバー部１９、およびフレーム１０以外の部材は図示を省略している。
【０１０６】
フレーム１０には、第２開口部１２の一部に被せられ、流路部１０ａ内に配置されたリンク機構５０ｌを覆うカバー部１９が設けられている。カバー部１９により、物や人の手が、リンク機構５０ｌに接触することが避けられている。これにより、ダンパ装置Ｄは、ダンパ装置Ｄを運搬する時および取り付ける時に、物や人の手がリンク機構５０ｌに接触して、リンク機構５０１が破損することが防止されている。
【０１０７】
カバー部１９は、平板状の保護部１９ａ、および保護部１９ａの両端部に固定部１９ｂが設けられている。保護部１９ａは、フレーム１０の第２開口部１２を覆うように設けられている。固定部１９ｂは、フレーム１０の外面１０ｍに沿って延びるように設けられている。フレーム１０の外面１０ｍおよび固定部１９ｂには、フレーム１０の外面１０ｍに固定部１９ｂを係止する固定構造である係止部１３が設けられている。
【０１０８】
係止部１３は、固定部１９ｂを弾性変形させて、フレーム１０の外面１０ｍに係合するよう設けられている。また、係止部１３は、爪部１３ａ、および貫通孔１３ｄにより構成されている。爪部１３ａは、フレーム１０の外面１０ｍに設けられており、貫通孔１３ｄは、固定部１９ｂに設けられている。爪部１３ａは、フレーム１０へのカバー部１９の取り付け方向に沿って、爪部１３ａの頂部１３ｅに向かって次第に隆起した第１テーパ部である第１テーパ面１３ｂ、および頂部１３ｅから次第に沈降した第２テーパ部である第２テーパ面１３ｃが設けられている。ここで、フレーム１０へのカバー部１９の取り付け方向とは、図１４の座標軸表示におけるＺ軸方向に平行な方向である。
【０１０９】
カバー部１９に爪部１３ａ、および貫通孔１３ｄからなる係止部１３が設けられていることにより、カバー部１９を、フレーム１０に他部品を組み付けた後に、取り付けることができる。これにより、フレーム１０の流路部１０ａ内に、リンク機構５０ｌが容易に組み付けられている。そのため、カバー部１９をフレーム１０に取り付ける作業工数を低減することができる。
【０１１０】
また、爪部の形状が、片方の側部のみに第１テーパ面１３ｂが設けられた一般的な爪形状の場合、カバー部１９を取り付け後に、カバー部１９の貫通孔１３ｄと、第１テーパ面１３ｂが設けられていないもう一方の側部との間に、隙間によるガタツキが発生する。本実施形態のダンパ装置Ｄの爪部１３ａは、第１テーパ面１３ｂ、および第２テーパ面１３ｃが設けられている。また、フレーム１０へのカバー部１９の取り付け方向に対して第１テーパ面１３ｂが隆起する角度は、フレーム１０へのカバー部１９の取り付け方向に対して第２テーパ面１３ｃが沈降する角度よりも小さく設けられている。これにより、カバー部１９は、固定部１９ｂが第１テーパ面１３ｂ、頂部１３ｅ、第２テーパ面１３ｃの順に接触した後、第２テーパ面１３ｃに取り付けられる。このとき、カバー部１９は、図１４視において、固定部１９ｂの先端に対して開いている弱ハの字状に弾性変形している。これにより、カバー部１９が常に第２テーパ面１３ｃに接触して、爪部１３ａとの間にガタツキが発生していない。そのため、取り付け後のカバー部１９のガタツキも抑えられ、カバー部１９に振動や衝撃が加わった場合に、カバー部１９から異音が発生することが抑制されている。また、カバー部１９を爪部１３ａへ取り付ける時に、カバー部１９の個体差によるバラツキが抑制されている。ここで、片側の固定部１９ｂが第２テーパ面１３ｃに接している場合には、反対側の固定部１９ｂが第２テーパ面１３ｃを超えてフレーム１０に接触していてもよい。また、フレーム１０の外面１０ｍにガイド壁１４ａ、およびガイド壁１４ｂが設けられている。これにより、カバー部１９は、ガイド壁１４ａ、およびガイド壁１４ｂに沿って、フレーム１０に対して位置ずれが抑制されている。
【０１１１】
なお、係止部１３は、フレーム１０の外面１０ｍに形成された凹部（図示せず）と、固定部１９ｂに形成された爪部（図示せず）とにより構成されている場合、フレーム１０の外面１０ｍに形成された爪部と、固定部１９ｂに形成された凹部とにより構成されている場合、フレーム１０の外面１０ｍに形成された貫通孔（図示せず）と、固定部１９ｂに形成された爪部とにより構成されている場合、フレーム１０の外面１０ｍに形成された爪部と、固定部１９ｂに形成された貫通孔とにより構成されている場合、のいずれの場合においても、同様の効果を発揮できる。
【０１１２】
また、図４に示すように、カバー部１９を取り付けるフレーム１０の外面１０ｍには、ガイド壁１４ａ、およびガイド壁１４ｂからなる固定部１９ｂのガイド部であるガイド１４が設けられている。ガイド壁１４ａ、およびガイド壁１４ｂは、フレーム１０へのカバー部１９の取り付け時に、固定部１９ｂの位置ずれを阻止し、固定部１９ｂの貫通孔１３ｄをフレーム１０の爪部１３ａに係止するように誘導するものである。ここで、位置ずれを阻止する方向は、図４の座標軸表示におけるＸＺ平面に平行な方向をいう。
【０１１３】
また、先に図３（ａ）および図１３に示したように、流路部１０ａを区画するフレーム１０の内面には、第１リンク部材５６および第２リンク部材５７からなるリンク機構５０１の揺動空間を確保するため、内面の位置が部分的にフレーム１０の外側に窪められた窪み部１０ｂが設けられている。また、窪み部１０ｂは、流路部１０ａの内側寸法ａ１が、部分的に内側寸法ａ２に窪められて設けられている。窪み部１０ｂにより外側に迫り出したフレーム１０の外面１０ｐは、ガイド１４の一部であるガイド壁１４ｂとなっている。
【０１１４】
リンク機構５０１の揺動空間を確保するために設けた窪み部１０ｂにより外側に迫り出したフレーム１０の外面１０ｐを、固定部１９ｂのガイド壁１４ｂとしても利用することにより、窪み部１０ｂとガイド壁１４ｂとをそれぞれ独立させて設ける場合に比べ、フレーム１０の構造効率が高められている。
【０１１５】
（コネクタ部）
図１６は、コネクタ部の構造を示す斜視図である。また、図１７は、コネクタ部の構造を示す分解斜視図である。以下、図１６と図１７を参照してコネクタ部６０について説明する。なお、以下に示すコネクタ部の前、後ろ、左、右、上、下の各方向は、図１６および図１７の座標軸表示における前、後ろ、左、右、上、下の各方向を示す。
【０１１６】
図１６において、モータ４０は、ケース体であるモータカバー４４に収容されている。モータ４０の図示しない端子は、モータ４０が備えるコネクタ部６０に保持されている。コネクタ部６０は、コネクタ部６０と対となる図示しない他のコネクタが接続される開口部６０ａと、コネクタ部６０の外面の一部である前面６０ｂと、がモータカバー４４から外部に露出している。また、モータカバー４４は、ケース半体である第１モータカバー４３と第２モータカバー３０とが嵌合されて設けられている。また、モータカバー４４は、開口部６０ａおよび前面６０ｂを除くコネクタ部６０の外面を覆うコネクタ保護部４４ａが設けられている。ここで、コネクタ保護部４４ａは、図１６の点線表示部分よりもコネクタ部６０側の部分である。また、コネクタ部６０の前面６０ｂ、第１モータカバー４３の外面４３ｄおよび第２モータカバー３０の外面３０ｅは、略同一の平面７０を形成している。
【０１１７】
コネクタ部６０は、開口部６０ａと前面６０ｂを除き、モータカバー４４のコネクタ保護部４４ａに覆われていることにより、ダンパ装置Ｄの運搬時や組み付け時に、コネクタ部６０が、周辺物に引っかかって破損したり変形したりすることが防止されている。また、コネクタ部６０の前面６０ｂと、コネクタ保護部４４ａの外面である第１モータカバー４３の外面４３ｄおよび第２モータカバー３０の外面３０ｅとは、略同一の平面７０を形成していることにより、ダンパ装置Ｄの外形が単純化される。これにより、モータカバー４４と、コネクタ部６０の境界ｆ１、ｆ２、ｆ３を、防水テープ等で隙間なく塞ぐことが可能となっている。これにより、ダンパ装置Ｄの防水性を高めることができる。また、例えば冷蔵庫へのダンパ装置Ｄの組み付けが容易になっている。
【０１１８】
また、第１モータカバー４３および第２モータカバー３０の境界線４４ｃは、コネクタ部６０の前面６０ｂを跨ぐ位置に設けられている。これにより、例えば防水テープ等を第１モータカバー４３および第２モータカバー３０の境界線４４を覆うように巻き付けるときに、コネクタ部６０の前面６０ｂを含めて、第１モータカバー４３および第２モータカバー３０の間、第１モータカバー４３とコネクタ部６０との間、および第２モータカバー３０とコネクタ部６０との間に隙間ができてしまうことを抑制することが可能であるので、テープ等を巻回しやすい。ここで、コネクタ部６０の前面６０ｂを跨ぐ位置とは、境界線４４ｃの上下方向の位置が、コネクタ部６０の前面６０ｂにおける上下方向の高さ６０ｈの範囲内である位置のことである。
【０１１９】
また、図１７において、コネクタ部６０の左右の面および下面には、側方および下方にフランジ状に広がったフランジ部６０ｃが設けられている。フランジ部６０ｃは、第１モータカバー４３内および第２モータカバー３０内に配置する際に、フランジ部６０ｃが後述する側面支持部４３ｈおよび側面支持部３０ｉと、第１モータカバー４３内および第２モータカバー３０との間に挿入されて設けられている。これにより、コネクタ部６０の前面６０ｂからフランジ部６０ｃを伝って侵入した水を、コネクタ部６０から離れた浸水防止部４３ｍまたは浸水防止部３０ｎまで導くことができる。また、フランジ部６０ｃは、第１モータカバー４３の内面４３ｆおよび第２モータカバー３０の内面３０ｇに当接して設けられている。これにより、図１６に示すコネクタ部６０の前面６０ｂと第１モータカバー４３および第２モータカバー３０との境界ｆ１、ｆ２、ｆ３の隙間から侵入した水の進行が、フランジ部６０ｃで遮断されている。ここで、コネクタ部６０の前面６０ｂ側をコネクタ部６０の前、その反対側をコネクタ部６０の後ろ、コネクタ部６０の開口部６０ａの開口方向をコネクタ部６０の上、その反対側をコネクタ部６０の下、コネクタ部６０の前後上下以外の方向をコネクタ部６０の左右および側方としている。
【０１２０】
また、第１モータカバー４３は、コネクタ部６０の左右の面である側面６０ｄに当接して側面６０ｄを支持する側面支持部４３ｈが設けられている。また、第２モータカバー３０は、コネクタ部６０の左右の面である側面６０ｄに当接して側面６０ｄを支持する側面支持部３０ｉが設けられている。これにより、第１モータカバー４３および第２モータカバー３０に対するコネクタ部６０の左右方向における位置が固定されている。また、コネクタ部６０の側面６０ｄに沿った水の浸入を抑制することができる。また、コネクタ部６０は、第２モータカバー３０の辺３０ｊ、辺３０ｍ、辺３０ｐ、および第１モータカバー４３の辺４３ｋに当接させることにより、モータカバー４４内への水の浸入が抑制されている。また、モータカバー４４内に入った場合においても、リブ６０ｅが設けられているので、水の流路が制限されて、モータ４０へ水が浸入することが抑制されている。さらにまた、コネクタ部６０に外力が働いた場合においても、側面支持部４３ｈおよび側面支持部３０ｉにより、コネクタ部６０の変形を抑制するようにサポートされている。
【０１２１】
また、コネクタ部６０の両側の側面６０ｄには、第１モータカバー４３の側面支持部４３ｈと、第２モータカバー３０の側面支持部３０ｉと、により上下から狭まれる被狭持部であるリブ６０ｅが設けられている。これにより、第１モータカバー４３および第２モータカバー３０に対するコネクタ部６０の上下方向の位置が固定されている。また、コネクタ部６０の上下方向におけるリブ６０ｅの位置は、図１６に示す第１モータカバー４３および第２モータカバー３０の境界線４４ｃの位置とは異なった位置に設けられている。これにより、リブ６０ｅを伝って下に落ちる水は、図１６に示す第１モータカバー４３および第２モータカバー３０の境界線４４ｃと異なる位置に落ちた後、後述する浸水防止部４３ｍまたは浸水防止部３０ｎに流れやすくなっており、水がモータ４０へ直接、流れ込むことが抑制されている。
【０１２２】
また、コネクタ部６０の前面６０ｂおよび開口部６０ａは、第１モータカバー４３の外面に設けられた凹部４３ｊおよび第２モータカバー３０の外面に設けられた凹部３０ｋから外部に露出して設けられている。また、コネクタ保護部４４ａにおける第１モータカバー４３側の内部には、第１モータカバー４３の中心部４３ｐから隔離された空間である浸水防止部４３ｍが設けられている。また、コネクタ保護部４４ａにおける第２モータカバー３０側の内部には、第２モータカバー３０の中心部３０ｌから隔離された空間である浸水防止部３０ｎが設けられている。これにより、コネクタ部６０と第１モータカバー４３および第２モータカバー３０の隙間から侵入した水は、浸水防止部４３ｍおよび浸水防止部３０ｎに留められることになる。そのため、侵入した水が第１モータカバー４３の中心部４３ｐ側および第２モータカバー３０の中心部３０ｌ側へ到達することが阻止されている。
【０１２３】
＜変形例＞
以下に、先の実施形態のダンパ装置Ｄの変形例について説明する。以下の説明では、先の実施形態と同一または同様の構造および機能を有する構成については、先の実施形態と同一の符号を付してその詳細な説明を省略する。
【０１２４】
図１５は、羽板支持部の変形例を示す模式図である。図１５に示されるように、差込口１５ａが形成された各羽板支持部１５ｈの、その周方向における差込口１５ａの開口角度は、第１開口部１１の開口径方向のうち、各羽板２０の長さｌ方向と直交する方向である短辺方向１１ａに対して、平行ではなく、かつ直角ではない角度、すなわち、第１開口部１１の短辺方向１１ａに対して斜めとなる角度に設定されている。なお、第１開口部１１の「開口径方向」とは、第１開口部１１の開口面積を定める面方向であって、図１５の座標軸表示におけるＸＹ平面に平行な方向をいう。また、短辺方向１１ａと「平行」とは図１５の座標軸表示におけるＹ軸方向に平行な方向をいい、短辺方向１１ａと「直角」とは同座標軸表示におけるＺ軸方向に平行な方向をいう。
【０１２５】
羽板支持部１５ｈの差込口１５ａを第１開口部１１の短辺方向１１ａに対して斜めに形成することにより、差込口１５ａは、羽板２０の回動動作の中途位置となる方向に開口されることとなる。一般に、本発明のようなダンパ装置Ｄを運送するときには、ダンパ装置Ｄは、その羽板２０が閉じた状態となる向き、またはその羽板２０が全開となる向きに並べられて梱包される。本実施形態のダンパ装置Ｄは、差込口１５ａの切欠方向が羽板２０の回動動作の中途位置となる方向に向けられていることにより、ダンパ装置Ｄの運送時にその羽板２０が羽板支持部１５ｈから脱落することが防止されている。
【０１２６】
以上、本発明の実施の形態について説明したが、本発明は上記実施の形態に限定されるものではなく、本発明の要旨を逸脱しない範囲で種々の改変が可能である。例えば、上記実施形態では、全ての羽板２０を一つのモータ４０の駆動力により回動させているが、これら各羽板２０を複数のモータ４０を用いて回動させる構成などが考えられる。
【０１２７】
また、上記実施形態では、排水口１０ｋを底板１０ｊにおける隔壁１０ｆ側の端部に形成させているが、これら排水口１０ｋを底板１０ｊの全面に格子状に配置させる構成などが考えられる。
【０１２８】
また、上記実施形態では、第５歯車５５は、軸部５５ｓの大径部５５ｆと拡径部５５ｅとの間の角部５５ａを、曲面に丸めているが、これら拡径部５５ｅにグリスｇ溜まり用の凹部を形成する構成などが考えられる。
【０１２９】
また、上記実施形態では、第２軸部２２は、段部２２ａが形成されているが、段部２２ａを曲面に丸める構成などが考えられる。
【０１３０】
また、上記実施形態では、モータピニオン４１と直接噛合する第１歯車５１が、その収容された層を貫通して他の層に収容された歯車部材５０ｇと噛合して形成されているが、モータピニオン４１と直接噛合する第１歯車５１以外の歯車部材５０ｇが、その収容された層を貫通して他の層に収容された歯車部材５０ｇと噛合して形成されている構成などが考えられる。
【０１３１】
また、上記実施形態では、第５歯車５５の軸部５５ｓを、第１リンク部材５６の嵌合穴５６ｂに圧入させているが、嵌合穴が設けられた第５歯車５５を、軸部が設けられた第１リンク部材５６に圧入させる構成などが考えられる。
【０１３２】
また、上記実施形態では、カバー部１９は、リンク機構５０ｌを覆うように設けられているが、カバー部１９は、歯車部材５０ｇおよびリンク機構５０ｌからなる動力伝達機構５０を覆うように設ける構成などが考えられる。
【０１３３】
また、上記実施形態では、モータカバー４４は、第１モータカバー４３と第２モータカバー３０とが嵌合されて設けられているが、第１モータカバー４３と第２モータカバー３０とを一体成形させる構成などが考えられる。
【符号の説明】
【０１３４】
Ｄ  ダンパ装置
１０  フレーム（枠体）
１０ａ  流路部
１０ｃ、１０ｖ  ストッパ部
１０ｇ  フレーム１０のケース状部（ケース部材）
１０ｎ  ギヤボックス
１０ｔ、３０ａ、３０ｂ、４３ａ  嵌合部
１１  第１開口部
１２  第２開口部
１５ｆ、１５ｈ、１５ｌ  羽板支持部
１５ａ  差込口
１６  リンク駆動部材支持部
２０  羽板
２０ａ  表面
２０ｂ  裏面
２１ｆ、２１ｌ  第１軸部
２２  第２軸部
３０  第２モータカバー（ケース部材）
３１  カバー部（突起部）
３１ａ  カバー部３１の蓋部
４０  モータ（駆動源）
４１  モータピニオン（ピニオンギヤ）
４２  第１歯車５１の支軸
４３  第１モータカバー（ケース部材）
５０  動力伝達機構
５０ｇ  歯車部材
５０ｌ  リンク機構
５１  第１歯車
５５  第５歯車（リンク駆動部材）
５５ｇ  歯車部
５５ｃ、５５ｖ  ストッパ部
５５ｓ  軸部（出力軸部）
５６  第１リンク部材
５７  第２リンク部材
ａ  羽板２０の回動中心線
ｂ  羽板２０の基端
ｈ  流路部１０ａの高さ
ｌ  羽板２０の長さ
ｔ  羽板２０の先端
ｗ  羽板２０の幅
【図１】
2018194221.tif 000003
【図２】
2018194221.tif 000004
【図３】
2018194221.tif 000005
【図４】
2018194221.tif 000006
【図５】
2018194221.tif 000007
【図６】
2018194221.tif 000008
【図７】
2018194221.tif 000009
【図８】
2018194221.tif 000010
【図９】
2018194221.tif 000011
【図１０】
2018194221.tif 000012
【図１１】
2018194221.tif 000013
【図１２】
2018194221.tif 000014
【図１３】
2018194221.tif 000015
【図１４】
2018194221.tif 000016
【図１５】
2018194221.tif 000017
【図１６】
2018194221.tif 000018
【図１７】
2018194221.tif 000019